(57)【要約】      （修正有）【課題】コンピュータを使用して建築工事の施工過程と進捗状況を時系列的に３次元の画像データで出力表示して目視で確認できる施工プロセス可視化方法を提供する。【解決手段】施工計画モデルデータと工程データを作成する。施工計画モデルデータに含まれる部材ユニットデータの属性情報と、工程データに含まれる作業属性データの属性情報とを照合し、属性情報が一致する部材ユニットデータと作業属性データとの関連付けを行い、関連付けられた結果を３次元画像で出力表示するための３次元施工プロセスデータを作成して記憶装置に記憶格納し、３次元画像として目視可能に出力表示する。【選択図】図１
2005050098.tif 000002
【特許請求の範囲】
【請求項１】
コンピュータを動作させる各ステップの処理内容が定義されたプログラムを格納した記憶装置を有するコンピュータを使用して、３次元の施工計画モデルデータと工程データを作成し、前記工程データに含まれる各作業に前記施工計画モデルデータを関連付けて、前記各作業の施工状況を当該作業に関連付けられた３次元施工プロセスデータにより３次元画像で時系列的に出力表示して、前記施工プロセスデータを逐次、目視で確認できるようにする施工プロセス可視化方法において、
施工計画モデルデータと工程データを作成するステップと、
前記施工計画モデルデータに含まれる部材ユニットデータの属性情報と、工程データに含まれる作業属性データの属性情報とを照合し、属性情報が一致する部材ユニットデータと作業属性データとの関連付けを行い、当該関連付けられた結果を３次元画像で出力表示するための３次元施工プロセスデータを作成し記憶装置に記憶格納するステップと、
前記３次元施工プロセスデータを３次元画像として目視可能に出力表示するステップとから成ることを特徴とする、施工プロセス可視化方法。
【請求項２】
前記記憶格納ステップは、施工計画モデルデータに含まれる部材ユニットデータの少なくとも建物の階又は節、工区、部位などの建物の位置情報をコード化した属性情報と、工程データに含まれる作業属性データの少なくとも階又は節、工区、部位などの作業の位置情報をコード化した属性情報とを照合して、前記コード化した属性情報が一致する施工計画モデルデータと工程データを関連付け、当該関連付けされた属性情報をコード化した属性関連データを作成し、記憶装置に記憶格納するステップを含むことを特徴とする、請求項１に記載した施工プロセス可視化方法。
【請求項３】
施工計画モデルデータ又は工程データの属性情報を追加・変更などの修正を行い、施工プロセスデータを更新する場合に、
記憶装置に記憶格納された施工計画モデルデータ又は工程データに関する属性情報を抽出し参照するステップと、
前記参照した属性情報を基に施工計画モデルデータ又は工程データを追加・変更などの修正を行うステップと、
前記変更などの修正をした前記施工計画モデルデータ又は工程データに関する施工プロセスデータを記憶装置から抽出し、抽出した施工プロセスデータ内に組み込まれている工程データ又は施工計画モデルデータと、変更などの修正をした前記３次元の施工計画モデルデータ又は工程データとの間で関連付けを行い、新たな施工プロセスデータと属性関連データとを作成して記憶装置に記録格納するステップを含むことを特徴とする、請求項１又は２に記載した施工プロセス可視化方法。
【請求項４】
施工計画モデルデータ及び工程データの属性情報を追加・変更などの修正を行い、施工プロセスデータを更新する場合に、
記憶装置に記憶格納された施工計画モデルデータ及び工程データに関する属性情報を抽出し参照するステップと、
前記参照した属性情報を基に施工計画モデルデータ及び工程データを追加・変更などの修正を行うステップと、
前記修正した前記施工計画モデルデータ及び工程データに関する施工プロセスデータを記憶装置から抽出し、抽出した施工プロセスデータ内に組み込まれている工程データ及び施工計画モデルデータと、修正した前記３次元の施工計画モデルデータ及び工程データとの間で関連付けを行い、新たな施工プロセスデータと属性関連データとを作成して記憶装置に記録格納するステップを含むことを特徴とする、請求項１又は２に記載した施工プロセス可視化方法。
【発明の詳細な説明】
【技術分野】
【０００１】
この発明は、コンピュータを使用して、受注段階で施主や工事関係者などに行うプレゼンテーションや施工管理段階で行う作業指示等の際に、建築工事の施工過程と進捗状況を時系列的に３次元の画像データで出力表示して目視で確認できる施工プロセス可視化方法に関する。
【背景技術】
【０００２】
従来、建築工事の施工計画は、工程表および設計図面などに基づいて施工計画者により計画・立案されている。前記工程表には、建築工事を進めるための施工手順が時系列で表示され、前記設計図面には、建物の図面上に構造や寸法、材質、仕様などの詳細情報が記入されている。
【０００３】
この施工計画は、予め作成された基本工程表を参照し、複数の設計図面を基にして、施工計画者が自己の経験に基づき、現場での各施工段階における施工状況を想定しながら施工方法や施工手順および資機材の搬入、設置、搬出や職種別人数の配置などの計画に不備や問題がないように確認しながら作成されるのが一般的である。
【０００４】
このような従来の施工計画の計画・立案方法では、工程表および設計図から各施工段階の施工状況を読み取り、施工方法や施工手順および資機材の搬入、設置、搬出や職種別人数の配置などの適正化を判断する能力や経験が施工計画の担当者に求められるため、精通した熟練者でないと適切な施工計画を作成することは困難であった。
【０００５】
そこで、精通した熟練者を要さずとも容易に施工計画の計画・立案を行えるように近年、コンピュータを利用した施工計画支援システムが種々研究されている。例えば、
（１）特許文献１には、各施工段階の進捗状況を３次元的に表示することが可能な施工計画支援システムが開示されている。この施工計画支援システムは、建築工事における躯体及び仮設構造物（クレーンや足場など）を構成する各部材の３次元データに基づいて、躯体構築作業を実施するための作業量や工数の見積もりを行い、工程表を作成し、作成された工程表の進捗に応じた施工状況を３次元的に表示するシステムである。
（２）特許文献２には、工程表に応じた施工状況の変化を３次元的に表示することが可能な施工計画支援システムが開示されている。この施工計画支援システムは、工程表と３次元モデルの各レイヤーとの間を夫々独立して作成し、前記工程表における各工種（以下作業名という。）と３次元モデルの各レイヤーとの間に関連付けを行い、計画された施工手順の進捗に応じた施工状況を前記各レイヤーを重ね合わせることにより３次元的に表示されるシステムである。３次元モデル（部位属性）又は工程表（作業名、日付等）のどちらか一方を変更する必要がある場合は、変更する必要のあるレイヤーを抽出し設定情報を変更した正しいレイヤーを差し替えるだけで、直ちに３次元モデル又は工程表の内容を３次元で反映させることができる。これらのレイヤーの関連付けは工程表の日付と３次元モデルの属性情報で固定されているため、日付および属性情報をキーワードにレイヤーを抽出することができる。
【０００６】
【特許文献１】特開平７−２４７６８８号公報
【特許文献２】特開２００１−２４９９８５号公報
【発明の開示】
【発明が解決しようとする課題】
【０００７】
上記（１）の従来技術は、３次元モデルに基づいて、工程表を作成し、その工程の進捗に応じて各工程の施工状況を個別に関連付けて３次元的に表示する基本機能とから構成されているため、工事に関与する各部材の３次元モデルを修正した場合には、その都度、工程表を作り直さなければならず、効率的な施工計画を行うことはできない。
【０００８】
上記（２）の従来技術は、前記（１）の従来技術の課題を鑑みて改善された発明であり、各々別個に作成した部材の３次元モデルと工程表とのデータファイル間でレイヤー１枚ずつに対して手動により関連付けを行えば、関連付けが行われた範囲内では部材の３次元モデル（部位の属性情報）と工程表（日付、作業名等）のいずれか一方が修正されても、３次元モデルの前記レイヤーと工程表の日付、作業名等との関係付けが設定されるため、他方を修正することなく、施工状況の３次元表示に反映できるので、部材の３次元モデルおよび工程表の修正を比較的効率よく行うことができる。
【０００９】
しかし、例えば施工計画の見直しにより新たな工程を追加をする場合、工程表に追加した日付、作業名とその作業にかかる部材の３次元モデルの属性情報との関連付けを行ってレイヤーを作成し、且つ、各レイヤー同士を関連付けて追加設定しなければならない。したがって、追加する工程又は工程に含まれる作業名の数によっては膨大な量の関連付け作業を要する。また、各レイヤーは、工程表の日付と３次元モデルの属性情報とが固定して関連付けられているため、片方のみの変更であれば容易に修正することができる。しかし、逆に日付および部材の属性の両方を変更するためには、前記変更に伴って生じる工程表の日付、作業名等や、３次元モデルの属性情報（部位）の修正を行い、且つ関連付け作業をレイヤー毎にやり直さなければならないため、場合によっては膨大な手間がかかり作業効率を著しく低下させ、現実的に活用することは至難である。
【００１０】
本発明の目的は、施工計画の変更による新たな工程や工区又は部材の追加・変更などの修正が生じても、当該修正から生じる関連付けをコード化された属性情報により自動的に行い施工状況の３次元表示に反映させることができ、熟練を要さずとも簡便且つ効率よく施工計画を計画・立案できる、施工プロセス可視化方法を提供することにある。
【課題を解決するための手段】
【００１１】
上記した従来の技術の課題を解決するための手段として、請求項１に記載した発明に係る施工プロセス可視化方法は、
コンピュータを動作させる各ステップの処理内容が定義されたプログラムを格納した記憶装置を有するコンピュータを使用して、３次元の施工計画モデルデータと工程データを作成し、前記工程データに含まれる各作業に前記施工計画モデルデータを関連付けて、前記各作業の施工状況を当該作業に関連付けられた３次元施工プロセスデータにより３次元画像で時系列的に出力表示して、前記施工プロセスデータを逐次、目視で確認できるようにする施工プロセス可視化方法において、
施工計画モデルデータと工程データを作成するステップと、
前記施工計画モデルデータに含まれる部材ユニットデータの属性情報と、工程データに含まれる作業属性データの属性情報とを照合し、属性情報が一致する部材ユニットデータと作業属性データとの関連付けを行い、当該関連付けられた結果を３次元画像で出力表示するための３次元施工プロセスデータを作成し記憶装置に記憶格納するステップと、
前記３次元施工プロセスデータを３次元画像として目視可能に出力表示するステップとから成ることを特徴とする。
【００１２】
請求項２記載の発明は、請求項１に記載した施工プロセス可視化方法において、
前記記憶格納ステップは、施工計画モデルデータに含まれる部材ユニットデータの少なくとも建物の階又は節、工区、部位などの建物の位置情報をコード化した属性情報と、工程データに含まれる作業属性データの少なくとも階又は節、工区、部位などの作業の位置情報をコード化した属性情報とを照合して、前記コード化した属性情報が一致する施工計画モデルデータと工程データを関連付け、当該関連付けされた属性情報をコード化した属性関連データを作成し、記憶装置に記憶格納するステップを含むことを特徴とする。
【００１３】
請求項３記載の発明は、請求項１又は２に記載した施工プロセス可視化方法において、
施工計画モデルデータ又は工程データの属性情報を追加・変更などの修正を行い、施工プロセスデータを更新する場合に、
記憶装置に記憶格納された施工計画モデルデータ又は工程データに関する属性情報を抽出し参照するステップと、
前記参照した属性情報を基に施工計画モデルデータ又は工程データを追加・変更などの修正を行うステップと、
前記修正した前記施工計画モデルデータ又は工程データに関する施工プロセスデータを記憶装置から抽出し、抽出した施工プロセスデータ内に組み込まれている工程データ又は施工計画モデルデータと、修正した前記３次元の施工計画モデルデータ又は工程データとの間で関連付けを行い、新たな施工プロセスデータと属性関連データとを作成して記憶装置に記録格納するステップを含むことを特徴とする。
【００１４】
請求項４記載の発明は、請求項１又は２に記載した施工プロセス可視化方法において、
施工計画モデルデータ及び工程データの属性情報を追加・変更などの修正を行い、施工プロセスデータを更新する場合に、
記憶装置に記憶格納された施工計画モデルデータ及び工程データに関する属性情報を抽出し参照するステップと、
前記参照した属性情報を基に施工計画モデルデータ及び工程データを追加・変更などの修正を行うステップと、
前記修正した前記施工計画モデルデータ及び工程データに関する施工プロセスデータを記憶装置から抽出し、抽出した施工プロセスデータ内に組み込まれている工程データ及び施工計画モデルデータと、修正した前記３次元の施工計画モデルデータ及び工程データとの間で関連付けを行い、新たな施工プロセスデータと属性関連データとを作成して記憶装置に記録格納するステップを含むことを特徴とする。
【発明の効果】
【００１５】
請求項１〜４に記載した発明に係る施工プロセス可視化方法によれば、施工計画の変更によって新たな工程や工区又は部材の追加・変更などの修正が生じても、当該修正から生じる関連付けを自動的に行い施工状況の３次元表示に反映させることができ、熟練者でなくても簡便に効率よく施工計画を計画・立案できる。
【発明を実施するための最良の形態】
【００１６】
以下、図面を参照して、請求項１〜４に記載した発明に係る施工プロセス可視化方法の実施形態について説明する。図１は、本発明に係る「施工プロセス可視化方法」が実施されるコンピュータシステム（以下、コンピュータと云う。）１０の構成例を示している。
【００１７】
このコンピュータ１０は、演算装置および制御装置から成る中央処理装置（ＣＰＵ）１２と、ＲＡＭなどの主記憶装置１５と、ハードディスクドライブや光磁気ディスクドライブなどの読み書き可能な記憶媒体および駆動デバイスから成る記憶装置（以下、補助記憶装置と云う。）１６と、モニタ１４ａやプリンタ１４ｂなどの出力装置１４と、キーボード１３ａやマウス１３ｂなどの入力装置１３とから構成される。
【００１８】
即ち、前記コンピュータ１０は、現在、一般に広く普及している所謂ノイマン型コンピュータであり、パーソナルコンピュータや汎用コンピュータなどが好適に用いられる。
【００１９】
なお、前記補助記憶装置１６には、オペレーティングシステム（ＯＳ）および本発明に係る施工プロセス可視化方法を実行するためのプログラムなどが記憶格納されている。また、３次元ＣＡＤデータで成る建物モデルデータの他、本実施形態で作成される施工計画モデルデータ、工程データ、３次元施工プロセスデータ、属性関連データを記録格納するデータ領域を有している。
【００２０】
次に図２は、図１に示したコンピュータ１０を用いて実施される、請求項１に記載した施工プロセス可視化方法の概略を示した流れ図である。以下、図２の流れ図に沿って処理内容を説明する。
【００２１】
上記したコンピュータ１０を始動させ、本発明に係る施工プロセス可視化方法を実行するためのプログラムを開始させる。
【００２２】
先ずステップＡにおいて、施工計画者又は工事関係者などの利用者により３次元の施工計画モデルデータを作成する。以下、前記施工計画モデルデータの作成手順の概要について説明する。
【００２３】
＜施工計画モデルデータの作成手順＞
施工計画モデルデータは、基本的にＣＡＤ（Computer Aided design）であり、建物の各部材を必要に応じて複数組み合わせたユニット部材毎にグループ化すると共に、前記各部材及びユニット部材のＣＡＤデータ（以下、部材ユニットデータと云う。）に少なくとも建物の階又は節、工区、部位等の位置情報を前記工程データと関連付け可能にコード化された属性情報を付加して作成され、補助記憶装置１６へ格納される。
【００２４】
以下に、補助記憶装置１６に格納された、前記属性情報の設定処理を行うのみで完成する段階まで予め作成済みの３次元ＣＡＤデータで成る建物モデルデータをコンピュータで読み取り、当該建物モデルデータに前記属性情報を付加し施工計画モデルデータとして完成させる場合を例に、前記施工計画モデルデータの作成手順の処理内容を図３に示す流れ図に沿って説明する。
【００２５】
先ず、ステップＡ１において、利用者が入力装置１３を操作して、前記補助記憶装置１６に格納されている任意の建物モデルデータを読み出し、前記コンピュータ１０の主記憶装置１５に読み込ませる。この建物モデルデータは、前記属性情報の骨格を司るディフォルト設定された基本情報が付加された状態にあり、ＣＡＤの平面図形の処理機能を製図用途に応用し作成した建築工事にかかる建物の設計図データである。また、既にディフォルトされた基本情報に基づき、３次元図形処理機能により、３次元画像として立体的に建物を表示できるデータファイルでもある。
【００２６】
前記施工計画モデルデータがコンピュータ１０の主記憶装置１５に読み込まれると、図４に示したように、前記コンピュータ１０は、モニタ１４ａ上に表示ウインドウ２０を表示し、当該表示ウインドウ２０内に属性情報の骨格となるデフォルト設定された基本情報に基づく初期画面を表す。前記表示ウインドウ２０に表示する画面を切り替える手段として「階」、「分割線」、「ユニット」、「工区」、「表示」の５つの画面切替ボタン２１〜２５が設けられている。
【００２７】
前記「階」ボタン２１は、前記表示ウインドウ２０の画面上に表示する建物の平面図の階数を切り替えるための画面切替ボタンである。「分割線」ボタン２２は、後記する建物部材を各部材に分割する処理（図３のステップＡ３参照）を行う処理画面を表示する画面切替ボタンである。「ユニット」ボタン２３は、分割した建物部材をユニット化（統合）する処理（図３のステップＡ４参照）を行う処理画面を表示する画面切替ボタンである。「工区」ボタン２４は、工区の設定（図３のステップＡ５参照）を行う処理画面を表示する画面切替ボタンである。「表示」ボタン２５は、前記表示ウインドウ２０に表れた２次元の平面図を３次元画像データとして表示する画面切替ボタンである。
【００２８】
次にステップＡ２では、工程データの属性情報との関連付けを図るために、建物モデルデータに「階・節」の属性情報を付加する。具体的には、利用者が入力装置１３を操作して、前記属性情報を設定する平面図の階を前記「階」ボタン２１におけるドロップダウンメニュー内の一覧から選択し指定して、コンピュータ１０に目的とする階の平面図を表示させて確認し、「階・節」の属性の関連付けを行う（図４参照）。もちろん、キーボード１３ａを操作して、前記「階」ボタンの表示枠２１ａへ直に階数を入力し、指定しても良い。
【００２９】
続くステップＡ３では、工程データの属性情報との関連付けを図るために、建物モデルデータに「部位」の分割の属性情報を付加する。具体的には、利用者が入力装置１３を操作して、先ず、前記「分割線」ボタン２２を押し、コンピュータ１０に表示ウインドウ２０上へ上記ステップＡ２で前記表示ウインドウ２０上に表示した平面図に表わされた一連の建物部材の分割処理画面を表示させる（図４参照）。続いて、表示ウインドウ２０の分割処理画面上の平面図に一連に表示された建物部材を、当該建物部材の通り芯３０を基準に柱、大梁、小梁などの各部材に分割したい箇所、即ち前記各部材の接合箇所に分割線３１を設定することによって、建物部材の分割処理を実行させて、「部材」分割の属性を付加する。
【００３０】
実際の建築現場において使用される部材には、施工効率の向上や作業の安全性を向上させるために各部材を予め工場や作業所において複数の部材を組み合わせ（部材を統合して）、一つのユニット部材として施工することがある。そこで、ステップＡ４では、建物モデルデータに複数の部材を組み合わせ（統合し）てユニット部材の属性情報を付加する作業を行う。利用者が入力装置１３を操作して、先ず、前記「ユニット」ボタン２３を押し、コンピュータ１０に表示ウインドウ２０へ上記ステップＡ３で分割した建物部材の各部材のユニット化を行う統合処理画面を表示させる。
【００３１】
前記統合処理画面を表示した後に、上記ステップＡ３における分割処理で柱、大梁、小梁などの各部材に分割された当該部材について、工法や施工期間などに応じて、前記各部材を複数組み合わせてユニット化した部材（以下、ユニット部材と云う。）の設定を行う。例えば、図４（Ａ）及び特に図４（Ｂ）の拡大図に示した柱イ及び大梁ロ、ハ、ニから成るユニット部材８を設定する場合、利用者が前記柱イ及び大梁ロ、ハ、ニをマウス１３ｂで一連に指定すると、図５に示すようにユニット化した後の部材名称の選択画面２６が表示され、利用者がマウス１３ｂなどを介して該当する部材名称を選択しＯＫボタン２７が押されると、部材のユニット化の設定処理が実行され前記部材ユニット８が確定される。斯くして、統合処理画面上の平面図における全てのユニット部材について設定が終了すると、次のステップＡ５へ進む。因みに、ユニット部材には、例えば柱と大梁と外壁の各部材から構成される「外装ユニット」、柱、大梁、外壁、小梁、床とから構成される「ベイユニット」、大梁、小梁、床とから構成される「大梁付きフロアパネル」など、およそ３４種程存在する。    
【００３２】
続くステップＡ５では、工程データの属性情報との関連付けを図るために、建物モデルデータに前記「工区」の属性情報を付加する。利用者が入力装置１３を操作して、先ず、前記「工区」ボタン２４を押し、コンピュータ１０に表示ウインドウ２０上に上記ステップＡ２〜４で表示した平面図の上に工区エリアの設定を行う工区設定画面を表示させる。コンピュータ１０に、図６に示すような前記工区設定画面を表示させた後に、利用者がマウス１３ｂなどを操作して、当該工区設定画面の平面図を一筆書きの多角形で工区エリアを指定して複数の工区への区分けと、当該工区に含まれる部位の設定を行う。この工区分けを行う際、同時に工区分けされた工区名称、表示色も同時に設定する。因みに、図示例では、１階、１節が第１工区から第３工区の３つの工区で異なる表示色により区分けされている。
【００３３】
また、工区は、同一の作業場においても、その施工段階の施工内容により躯体工区、仕上げ工区、設備工区など複数の工区が存在するため、各施工における工区については、利用者が入力装置１３を介して図６に示した段階別工区ボタン２８を操作して工区の設定画面を切り替え、コンピュータ１０に表示ウインドウ２０へ表示させ、各々の設定画面上で工区エリア、工区の名称、表示を設定する。
【００３４】
その後、上記したステップＡ２〜ステップＡ５までの処理を建築工事を行う建物の全ての階について行うと、各部材又はユニット部材、即ち部材ユニットデータに、階・節、工区、部位（種別）により定義される属性情報がコード化された内容で付加され、施工計画モデルデータが完成する。つまり、前記施工計画モデルデータは、工程データと少なくとも階・節、工区、部位（分割、統合）の属性情報を一致させて関連付ける事が可能なデータ形式（コード化）である。施工計画モデルデータが有するデータは、図７の右側の施工計画モデルデータに示すように、前記共通属性（階・節、工区、部位）の他、通り芯（座標データ）、部材データ（座標データ）、部材断面データ、構造形式データ等の（各ステップで設定した）部材ユニットデータが付加されている。因みに、前記部材ユニットデータは、例えば図６に示した大梁ホの部材の場合、利用者が入力装置１３を介して表示ウインドウ２０とは別に属性表示ウインドウ２９を表示させて内容を確認することができる。この属性表示ウインドウ２９は、上記した分割処理画面、統合処理画面、工区設定画面など、何れの処理画面でも前記表示ウインドウ２０とは別にモニタ１４ａ上の画面上へ表示できる。
【００３５】
＜工程データの作成手順＞
次にステップＢにおいて、施工計画者又は工事関係者等の利用者により前記施工計画モデルに対応する工程データを作成する手順を説明する。
前記工程データは、例えば特開平１０−２０５１３０号公報に開示されている工程情報を具えた工程データと同様の手法、手順により作成され、補助記憶装置１６へ記憶格納される。この特開平１０−２０５１３０号公報に開示される工程データのデータ構造は、工程表上の工程線に並記する作業名に対応した工程情報を具えた構造を採っている。なお、本発明における工程表の作業属性データは、前記特開平１０−２０５１３０号公報における工程情報の項目に「部位」の項目を追加したものであり、当該作業属性データに含まれる情報の項目の中で少なくとも「階・節」、「工区」、「部位」の３つの位置情報の項目を属性情報として定義する。つまり、ステップＡで設定した少なくとも階・節、工区、部位の属性情報と一致させて関連付け可能にコード化されたデータである。データ内容は、図７の左側の工程データに示すように、共通属性（階・節、工区、部位）の他、作業歩掛、作業名称、作業開始日、作業終了日等の作業属性データである。
【００３６】
次に、具体的に工程データを設定・確認する手順を図８により説明する。図８は、利用者が入力装置１３を介して表示した前記表示画面４０における例えば、作業名「鉄骨建方  ヘ」の属性情報の設定ウインドウ４１の一例を示している。
先ず、前記設定ウインドウ４１内に示された、階４２、工区４３、部位４４を各プルダウンメニューから「鉄骨建方  ヘ」に該当する各属性情報を入力装置３を操作して選択・設定する。これらは、前記施工計画モデルデータで設定された共通の属性情報（階・節、工区、部位）のいずれかと一致するものとなる。そして、破線で囲まれた作業名設定欄４５において、前記属性情報に対応した作業名を入力装置３を操作することにより選択し、設定する。そして、破線で囲まれた日付入力欄４６において、工程表で予め設定されている作業開始日、作業終了日等の日数情報を確認する。すると、前記施工計画モデルデータの部材ユニットデータと前記工程データの作業属性データが階・節、工区、部位の共通の属性情報をキーワード（コード化）に全ての関連付けを工程数分だけ自動的に行なう。
【００３７】
斯くして、当該ステップＡ、Ｂにおける一連の作成処理が終了すると、次のステップＣへと進む。なお上述した、施工計画モデルデータ及び工程データはそれぞれ独立したシステム上で作成することが可能なデータである。従って、各データの作成作業を分担することができる。
【００３８】
ステップＣでは、前記施工計画モデルデータと工程データの各属性情報を照合するステップである。先ず、利用者が入力装置１３を操作して、コンピュータ１０に３次元施工プロセスデータを作成する建築工事にかかる前記工程データ及び施工計画モデルデータとを前記補助記憶装置１６内から抽出し、主記憶装置１５に読み込ませる。
【００３９】
次に、コンピュータ１０により、上記ステップＡで作成された施工計画モデルデータに含まれる少なくとも階・節、工区、部位の共通属性及び部材ユニットデータと、ステップＢで前記施工計画モデルデータに対応して作成された工程データに含まれる少なくとも階・節、工区、部位の共通属性及び作業属性データとを前記共通属性をキーワード（コード化）に照合する（図７参照）。
【００４０】
ステップＤで、コンピュータ１０は、前記照合に伴なって属性関連データ（ステップＤ−１）、３次元施工プロセスデータ（ステップＤ−２）を作成する。
ステップＤ−１では、ステップＣにおいて行った照合及び関連付け作業に伴って施工計画モデルデータと工程データが共通の属性情報（階・節、工区、部位）によって関連付けされたデータを一覧情報（ディレクトリー）にした「属性関連データ」が作成され、補助記憶装置１６へ記憶格納される。（請求項２記載の発明）。前記属性関連データは、図９に示すような階・節、工区、部位（作業項目、期間）の項目から構成される一覧表データである。
【００４１】
以下に、ステップＤ−２の３次元施工プロセスデータを作成する手順を図１０に示す流れ図から具体的に説明する。
前記３次元施工プロセスデータは、施工計画モデルデータへ前記照合により工程データと関連付けられた所謂ソースデータである。
先ず、利用者が入力装置１３を操作して、コンピュータ１０に、それぞれ単独のシステム上で作成された、工程データ及び施工計画モデルデータとを前記補助記憶装置１６内から抽出し、それぞれ主記憶装置１５に読み込ませる。
すると、ステップＤ−２−１で、工程の属性が確認される。つまり、少なくとも階・節、工区、部位の共通属性から工程に含まれている各属性情報（部位）が自動的に抽出されて確認される。
そして、ステップＤ−２−２で、前記確認により、施工計画モデルデータから同一の属性情報（例えば、階−１階、工区−１工区、部位−大梁）を有する工程に関係した部材、ユニット材全てを抽出してグループ化する。
ステップＤ−２−３で、前記グループ化された各部材に工程データから作業名、作業開始日、終了日の情報が割り当てられて特定される。
ステップＤ−２−４で、前記作業開始日および作業終了日の割当てから確定される作業期間を算出して割り付けられる。これを部材数分だけ自動的に繰り返して（部材数ループ）行われる。
上記ステップＤ−２−１〜Ｄ−２−４を工程数の数だけ（工程数ループ）自動的に繰り返して行われる。
斯くして、施工計画モデルデータへ作業状況を表示する日付、作業名の関連付けしたデータを「３次元施工プロセスデータ」として作成され、補助記憶装置１６へ記録格納される。
【００４２】
次にステップＥでは、上記ステップＤで作成された３次元施工プロセスデータを図１１に示すように３次元画像データとしてモニタ１４ａ上に目視可能に出力表示する。
【００４３】
３次元表示ウインドウ６０には、日時指定ボタン６１が設けられており、利用者が入力装置１３を介して前記日時指定ボタン６１の入力枠６１ａに任意の日時が入力されると、コンピュータ１０は当該日時における建築工事の施工状況を３次元画像データとして表示する。
【００４４】
以下、コンピュータ１０が日時指定ボタン６０に日付が入力されてから３次元表示ウインドウ６０上に入力された日付における施工状況が３次元画像で表示するまでの処理内容を図１２に示す流れ図に沿って説明する。
【００４５】
先ず、ステップＥ１において、利用者により入力装置１３を介して任意の日付が前記日時指定ボタン６１の入力枠６１ａに入力されると、ステップＥ２で、コンピュータ１０は３次元施工プロセスデータに含まれる施工計画モデルデータの部材ユニットデータについて、当該部材ユニットデータに関連付けされた（割付けられた）工程データの作業属性データに記録された作業の「開始日」を参照し、当該作業の「開始日」が前記任意の日付以降か否かを確認する。前記作業の「開始日」が前記任意の日付以降である場合（Yes）は、次のステップＥ３へ進む。一方、前記作業の「開始日」が前記任意の日付より前の場合（No）は、ステップＥ５へ進み、該当する部材ユニットデータにかかる部材又はユニット部材の３次元画像は表示しないとの判断を下す。その場合の工程表示は、図１２の（Ｂ）のCase１のようになる。
【００４６】
ステップＥ３では、コンピュータ１０が当該ステップＥ３へ進んだ部材ユニットデータについて、当該ユニットデータに関連付けされた（割付けられた）作業属性データに記録された作業の「終了日」を参照し、前記任意の日付より前か否かを確認する。つまり、部材ユニット作業がすべて完了しているかどうかの確認をする。前記作業の「終了日」が前記任意の日付以降の場合（No）の場合は、ステップＥ４へ進む。一方、前記作業の「終了日」が前記任意の日付より前の場合（Yes）の場合は、ステップＥ６へ進み、該当する部材ユニットデータにかかる部材又はユニット部材の３次元画像を作業完了色又は作業完了模様で表示する。前記作業完了色又は作業完了模様とは、各部材又はユニット部材にかかる各工程の作業が完了していることを示すために設定された表示色又は模様である。工程表示は、図１２の（Ｂ）のCase２のようになる。
【００４７】
ステップＥ４では、コンピュータ１０が当該ステップＥ４へ進んだ部材ユニットデータについて、当該部材ユニットデータに関連付けされた作業属性データに記録された作業の「開始日」と「終了日」を参照し、当該作業属性データに記録された作業が実際に進行中の作業なのか、それとも休止中の作業なのかを判断する。作業属性データに記録された作業が実際に進行中の作業の場合（Yes）は、ステップＥ８へ進み、該当する部材ユニットデータにかかる部材又はユニット部材の３次元画像を作業色又は作業模様で表示する。作業色又は作業模様とは、各部材又はユニット部材にかかる各工程の作業中であることを示すために設定された表示色又は模様である。その場合の工程表示は、図１２の（Ｂ）のCase３のようになる。一方、作業属性データに記録された作業が休止中の作業の場合（No）は、ステップＥ７へ進み、該当する部材ユニットデータにかかる部材又はユニット部材の３次元画像を作業休止色又は作業休止模様で表示する。その場合の工程表示は、図１２の（Ｂ）のCase４のようになる。因みに、作業休止色又は作業休止模様とは、直前に終了した作業の色で透明３Ｄ表示された表示色又は模様である。因みに、図１１では、前記日時指定ボタン６１の入力枠６１ａに「２００２年２月１日」の日時を入力した場合に表示される施工状況の表示画面である。
【００４８】
また、この３次元表示ウインドウ６０は、基本的にＡｕｔｏ ＣＡＤ（登録商標）、３Ｄ Ｓｔｕｄｉｏ ＶＩＺ（登録商標）等と同様の３次元表示機能、アニメーション機能及びウォークスルー機能などの一般的なＣＡＤ機能を備えている。例えば、３次元表示機能としては、注視点である建物を回転させ、様々な角度の視点からの展望図を表示することができるし、アニメーション機能としては施工工程を建築工事の日程に沿って時系列に連続して表示することもできる。ウォークスルー機能としては、３次元画像表示される各施工状況における建物の内部にあたかも入り込んでいるかの如く、任意の方向に建物の観察像を表示することができる（図１３参照）。
【００４９】
次に、ステップＦで、３次元施工プロセスデータを修正する必要があるか否かの判断を行う。修正する必要がある場合（YES）は、ステップＧへ進む。勿論、修正する必要がない場合（NO）は一連の作業が終了となる。
【００５０】
ステップＧは、既に上記ステップＡ、Ｂ、Ｃなどを経て作成され、補助記憶装置１６内に記憶格納された３次元施工プロセスデータであって、施工計画の変更に伴って施工計画モデルデータ又は工程データ、若しくは双方のデータを追加・変更などの修正を行い、当該施工計画モデルデータ又は工程データ、若しくは双方のデータにかかる特定の３次元施工プロセスデータを新たに作成するための工程である。    
以下に、ステップＧにおいて、特定の３次元施工プロセスデータにかかる施工計画モデルデータ又は工程データ、若しくは双方のデータを修正する場合を、図１４に示す流れ図により各々説明する。
【００５１】
＜施工計画モデルデータ又は工程データを追加・変更する場合＞  
先ず、施工計画モデルデータに追加・変更などの修正がある場合(YES）は、ステップＧ−１において、利用者は図９に示すダイアログ内の「階、工区、部位」の表示欄９０１の修正箇所を入力装置１３を操作してクリックすると、修正する３次元施工プロセスデータにかかる施工計画モデルデータの階・節、工区、部位の属性情報が補助記憶装置１６から抽出し参照される（図４〜図６）。そして、上記ステップＡにおける施工計画モデルデータの作成手順に則り、そのデータ内容について修正を行う。施工計画モデルデータに追加・変更などの修正が必要ない場合（NO）は、次のステップへ進む。
【００５２】
工程データに追加・変更などの修正がある場合（YES）は、ステップＧ−２において、利用者は図９に示すダイアログ内の「作業項目、期間」の表示欄９０２の修正箇所を入力装置１３によりクリックして、修正する３次元施工プロセスデータにかかる工程データの階・節、工区、部位の属性情報を補助記憶装置１６から抽出し参照する（図８）。そして、上記ステップＢにおける工程データの作成手順に則り、そのデータ内容について修正を行う。工程データに追加・変更などの修正が必要ない場合（NO）は、次のステップへ進む。
【００５３】
次に、ステップＧ−３で、参照した属性情報を基に、コンピュータ１０が、追加・変更などの修正をした前記施工計画モデルデータ及び工程データに関する３次元施工プロセスデータを補助記憶装置１６から抽出し、抽出した３次元施工プロセスデータ内に組み込まれている前記施工計画モデルデータに対応した工程データ又は前記工程データに対応した施工計画モデルデータと、修正した前記施工計画モデルデータ又は修正した前記工程データとの間で、上記したステップＣ、Ｄと同様の処理を行い、新たに３次元施工プロセスデータと属性関連データとを作成し、補助記憶装置１６に記憶格納する（以上、請求項３記載の発明）。
【００５４】
＜施工計画モデルデータ及び工程データの双方を追加・変更する場合＞
先ず、利用者が入力装置１３を操作して、上記したステップＧ−１、Ｇ−２と同様の処理を行って、該当する施工計画モデルデータと工程データを追加・変更などの修正を行う。続いて、ステップＧ−３で、利用者は入力装置１３を操作して、コンピュータ１０に前記修正した前記施工計画モデルデータ及び工程データをコンピュータ１０に読み込ませると、前記コンピュータ１０は修正した前記施工計画モデルデータと前記工程データとの間で、上記したステップＣ、Ｄと同様の手法により再度関連付けを自動的に行い、新たな３次元施工プロセスデータと属性関連データとを作成し、補助記憶装置１６へ記憶格納する（以上、請求項４記載の発明）。
斯くして、施工計画に応じた適切な３次元施工プロセスデータが作成されると、請求項１〜４に記載した施工プロセス可視化方法に係る一連の処理が終了となる。
【００５５】
以上に説明した本発明の施工プロセス可視化方法よれば、施工計画モデルデータと工程データを同一の項目（階・節、工区、部位）の位置情報をコード化した共通の属性情報により管理されたデータ構造を持つので、コンピュータは前記属性情報を基に自らの判断で施工計画モデルデータの部材ユニットデータと工程データの作業属性データとの関連付けを行うことができる。従って、従来技術の如く施工計画モデルデータと工程データとの関連付けを人手を介することなく自動的に行うため、施工計画を効率よく行うことができる。
【００５６】
特に、施工計画の変更によって、施工計画モデルデータと工程データの双方に新たな工程を追加する修正を行う場合、従来技術の如く新たに工程データに追加した工程の作業名に当該追加した工程にかかる施工計画モデルデータを手動で関連付けしなくても、前記施工計画モデルデータなどを夫々追加・変更などの修正をしてコンピュータ１０に読み込めば、後は前記属性情報を基に前記コンピュータ１０が当該追加・変更などの修正を反映した３次元施工プロセスデータを作成してくれる。従って、度重なる施工計画の変更があっても、その都度迅速に効率よく変更された施工計画の３次元画像を作成できるので、施工計画の計画・立案を適切且つ、効率よく行うことができる。
【００５７】
以上には、本発明の好適な実施形態を挙げて説明したが、これらの実施形態以外にも、本発明の趣旨を逸脱することなく、当業者が通常行う種々の応用、変更による実施も可能であることを付言する。例えば、建築工事に用いられる仮設資機材についても、当該仮設資機材の部材ユニットデータから成る施工計画モデルデータと、作業属性データを具えた仮設資機材にかかる工程を設けた工程データを作成すれば、当該仮設資機材もモニタ画面上などへ３次元画像として描写することができる。
【００５８】
また、コンピュータ１０の動作は、対応したプログラムがコンピュータ読み取り可能な記憶媒体に格納され、コンピュータが前記記憶媒体のプログラムを読み取り、当該プログラムに従い動作することで請求項１〜４に記載した施工プロセス可視化方法の実施可能な処理装置として機能し、上記した各ステップにおける処理が可能になる。なお、前記記憶媒体とは、データやプログラムなどの情報を電気的、磁気的、光学的、機械的、又は化学的作用により記憶格納し、コンピュータが読み取り可能な記憶媒体を云う。例えば、ハードデスク、磁気ディスク、フレキシブルディスク、光ディスク（ＣＤ−ＲＯＭ、ＤＶＤなど）、光磁気ディスク（ＭＯなど）、半導体メモリ、ＤＡＴなどがある。
【００５９】
更に、前記実施形態におけるコンピュータ１０の動作に対応したプログラムは、コンピュータ１０の補助記憶装置に記憶格納し、通信媒体を通じて他のコンピュータに配布することができる。この場合、前記プログラムは、搬送波によって具現化されたデータ通信信号として、通信媒体を伝送される。そして、その配布を受けたコンピュータを上記した実施形態における請求項１〜４に記載した施工プロセス可視化方法の処理装置として機能させることができる。前記通信媒体としては、同軸ケーブルおよびツイストペアケーブルを含む金属ケーブル類や光通信ケーブルなどの有線通信媒体、又は衛星放送や地上波無線通信などの無線通信媒体のいずれでも良い。前記搬送波は、データ通信信号を変調するための電磁波又は光である。この搬送波に具現化されたデータ通信信号は、変調されたブロードバンド信号と変調されていないベースバンド信号（電圧０の直流信号を搬送波とした場合に相当。）のいずれでも良い。
【００６０】
また、建物モデルデータ、施工計画モデルデータ、工程データの各々が独立したシステムで成り立っているので、建物モデルデータは設計者、施工計画モデルデータは工事立案者、工程表は工事担当者等へ各々の作成作業を分担させることも可能となる。
【図面の簡単な説明】
【００６１】
【図１】本発明に係る施工プロセス可視化方法を実現するコンピュータの構成例を示すブロック図である。
【図２】本発明に係る施工プロセス可視化方法を実現するためにコンピュータ上で実行される処理動作の概略を示す流れ図である。
【図３】ステップＡの処理内容の一例を示す概略的な流れ図である。
【図４】（Ａ）は分割処理画面を表示した表示ウインドウの一例を示す説明図である。（Ｂ）はユニット部材８を説明した拡大図である。
【図５】統合処理画面を表示した表示ウインドウの一例を示す説明図である。
【図６】工区設定画面を表示した表示ウインドウの一例を示す説明図である。
【図７】施工計画モデルデータ及び工程データが有しているデータの一例を示す説明図である。
【図８】工程表上の工程ラインに並記した作業名にかかる属性情報の確認画面の一例を示す説明図である。
【図９】モニタ画面上に表示される３次元施工プロセスデータの一例を示す説明図である。
【図１０】ステップＤの処理内容の一例を示す概略的な流れ図である。
【図１１】３次元表示ウインドウ上に表示される３次元施工プロセスデータの一例を示す説明図である。
【図１２】（Ａ）はステップＥの処理内容の一例を示す概略的な流れ図である。（Ｂ）は（Ａ）の補足図である。
【図１３】ウォークスルー機能により３次元表示ウインドウ６０に表示される画像の一例を示す説明図である。
【図１４】ステップＧの処理内容の一例を示す概略的な流れ図である。
【符号の説明】
【００６２】
１０    コンピュータ
１６    記憶装置
【図１】
2005050098.tif 000003
【図２】
2005050098.tif 000004
【図３】
2005050098.tif 000005
【図４】
2005050098.tif 000006
【図５】
2005050098.tif 000007
【図６】
2005050098.tif 000008
【図７】
2005050098.tif 000009
【図８】
2005050098.tif 000010
【図９】
2005050098.tif 000011
【図１０】
2005050098.tif 000012
【図１１】
2005050098.tif 000013
【図１２】
2005050098.tif 000014
【図１４】
2005050098.tif 000015
【図１３】
2005050098.tif 000016